(57)【要約】【課題】商用電源の停電時にパソコンのデータなどを保護する電源装を安価、簡単で且つ小型化する。【解決手段】電源ソケット差込口を供えた表面パネルを上面に取り付けた上部カバーと分離可能な下部カバーからなる筐体内に、停電時の電源用電池セット、及び停電時にパソコンに対して起動中のアプリケーションのデータを保存する指示を行い該電池容量による稼動可能な時間内に停電が回復しない場合、更にパソコンをシャットダウンするよう指示する制御回路を搭載したプリント基板を収容し、商用電源接続コードを具えたソケット型停電用電源装置。  パソコンに対するバックアップ機能を、データ保存とシステムのシャットダウン処理に限ることによって、安価、ソケットタイプの小型化を実現し、複数のパソコンのバックアップを可能とした。【選択図】図１
0003106082.tif 000002
【実用新案登録請求の範囲】
【請求項１】
商用電源の停電時にコンピュータなどの機器を保護する停電用電源装置であって、
電源用及びサージ保護用ソケット差込口を供えた表面パネルを上面に取り付けた上部カバーと分離可能な下部カバーからなる筐体内に、停電時の電源用電池セット、及び停電時にパソコンに対して起動中のアプリケーションのデータを保存する指示を行い該電池容量による稼動可能な時間内に停電が回復しない場合、更にパソコンをシャットダウンするよう指示する制御回路基板を搭載したプリント基板組立体を収容し、商用電源接続コードを具えたソケット型停電用電源装置。
【請求項２】
上記プリント基板組立体は、電源回路板、制御回路板及びサージ保護回路板から構成されることを特徴とする、
請求項1記載のソケット型停電用電源装置。
【請求項３】
上記電源回路板は、AC／DC整流器、DC／DC変換器、スイッチング制御器、再充電用充電器、DC／DC直流バス・ブースター、出力変換装置、及びコンピュータ送信インターフェース回路を含むことを特徴とする、
請求項２記載のソケット型停電用電源装置。
【請求項４】
上記制御回路板は、商用電源モニター、チャージ制御器、DD／DC制御器、出力変換装置ドライバー、及びCPUから構成されることを特徴とする、
請求項２〜３記載のソケット型停電用電源装置。
【請求項５】
上記サージ保護回路板は、１セットのサージ制御回路から構成されることを特徴とする、
請求項２〜４記載のソケット型停電用電源装置。
【請求項６】
上記制御回路板とサージ保護回路板とが相互に平行、且つ上記電源回路板に対して垂直に配置されてなることを特徴とする、請求項２〜５記載のソケット型停電用電源装置。
【考案の詳細な説明】
【技術分野】
【０００１】
本考案は、商用電源の停電時にこれらの電源に接続されたパソコンなどのコンピュータ及び起動中のソフトのデータ損傷を防止するために一時的に電源を供給する停電用電源装置に関し、特に商用電源に接続される一般的なソケットの形態で、６ボルトの電池を電源として対応することのできる停電用電源装置に関する。
【背景技術】
【０００２】
現在、パソコンなどのOA機器がオフィスを始め、家庭においても普及しているが、これらの機器は電源をシャットダウンするには、予めデータを保存し、パソコンの終了手順に従って実行しなければならない。ところが、商用電源の停電や引込み回路でのブレーカーが落ちるなどの事態が生じて電源が遮断されると、例え瞬間的な短時間であっても、起動中のソフトのデータは失われ、また、パソコン自体もハードディスクが損傷するなどの事態となる。
従来、このような商用電源の停電対策として採用されている無停電電源装置（ＵＰＳ）は、停電などの非常事態においてパソコン、サーバ、メインフレームなどへの電力供給を維持して、起動中のアプリケーションやデータの損傷を効果的に防止することができるが、これらの設備は停電に対して起動中のソフトデータなどを保護すると共にコンピュータの動作を確保するために持続的に電力供給を維持することを目指すため、設備自体が大きくなって非常に高価であり、また、商用電源の停電時にこれらの供給電力と装置自体の大きな電力消費量に対処するために12ボルトの電池を主要な電源として使用している。このため、必然的にこれらの大きな電力容量に対応する変圧器やＩＣなどの設備も大きなものとなり、コストが高く、維持も困難であることとあいまって、パソコンなどの一般的なユーザーの採用し得るところとならない。
【特許文献１】特開２００４−７９５０号公報
【特許文献２】特開２００２−８４６８０号公報
【特許文献３】特開２００２−２３３０７９号公報
【特許文献４】特開２０００−１４０４３号公報
【特許文献５】特開２００２−２７６８３号公報
【考案の開示】
【考案が解決しようとする課題】
【０００３】
本考案は、これらの問題に対し、商用電源に接続可能なソケットの形態で、中央処理装置（ＣＰＵ）による制御回路と再充電可能な電源回路とにより、商用電源の停電に対してパソコン及び起動中のソフトデータを保護することができる軽量、安価な停電用電源装置を提供する。
【課題を解決するための手段】
【０００４】
本発明は、商用電源の中断時にパソコンなどのコンピュータをバックアップする電源回路、制御回路及びサージ保護回路を含む設備に電源を供給するため６ボルトの電池を使用すると共に、
その基本的構成として、電源回路基板、制御回路基板とサージ保護回路基板からなるプリント基板組立構造からなり、
その電源回路基板は、ＡＣ／ＤＣ変換器、ＤＣ／ＤＣ調整器、スイッチング制御器、再充電可能とする充電器、ＤＣ／ＤＣバス・ブースター、出力変換器、コンピュータ送信インターフェース回路を含み、また、その制御回路基板は、商用電源モニター、チャージ制御器、ＤＣ／ＤＣ制御器、出力変換装置ドライバー及びＣＰＵを含み、そのサージ保護回路（プロテクター）は、サージ抑制回路を含む。
【０００５】
本考案は、これらの構成により商用電源の停電時を商用電源モニターにより検出すると、ＣＰＵコントローラーからコンピュータ送信インターフェース回路を経てパソコンに対して起動中のアプリケーション及びデータの保存を依頼し、次いで停電状態が搭載された小容量の電源によりこれらの機器が動作可能な時間である数分以内に回復しない場合には更にシャットダウンを指示する。
これらの一連の動作における電力消費は小さいため、６ボルトの再充電可能な電池電源で賄うことが可能であり、これら電源設備が小型・小容量であるためこれらの設備を商用電源に接続可能なソケットの形態で構成することができる。
そして、これらの具体的構成として、表面パネル、上部カバー、ソケット部材、配線絶縁板、電池セット、プリント基板に対して分割可能な下部カバー、電源コードリール及びコンピュータに電気的に接続されたいくつかの部品からなる簡単な要素により構成される。
【考案の効果】
【０００６】
本考案の停電用電源装置は、停電時にコンピュータに対して、上記のとおり起動中のソフトデータの保護と終了動作をバックアップしてコンピュータを保護するものであるため、内蔵する電池電源により６ボルトの電力容量で足りる。
商用電源が停電すると、そのＣＰＵの制御機能は、自動的に起動中のアプリケーションのデータを保護し、電力消費を低減するためにそのプログラムを閉じる。
もし、商用電源が数分以内に快復せず、他に利用可能な代替電源もない場合、ＣＰＵがコンピュータの動作システムを終了するようコンピュータに指示して終了させることにより機器の損傷を回避することができる。
そのサイズは、商用電源との接続に用いられるソケット若しくは電源タップなどと同様のサイズとして従来の非常用電源装置などよりはるかに小型であり、サージ保護用の複数のソケットを配置することができる。
【０００７】
また、本考案の他の特徴は、そのコンパクトなモジュール構成にあり、それによって、組立作業を容易にし、作業時間を低減して原価を削減するのみで無く、品質向上にも寄与する。
【考案を実施するための最良の形態】
【０００８】
図１は、本考案の停電用電源装置のブロックダイヤグラムであって、サージ保護回路（基板：ＰＣＢ）１、電源回路（基板：ＰＣＢ）２及び制御回路（基板：ＰＣＢ）３からなる。
また、これらの具体的な回路構成は、図５、６、及び７に示すが、これらの回路による動作は、いずれも先に挙げた先行技術文献である特許文献１ほか、おいて開示されたものと同様であって、本考案の特徴でもないのでここでは例示に留め詳説しない。
これらは電気的な構成に対して、装置の構造の詳細を、以下図２〜４により説明する。
【実施例１】
【０００９】
図２は、本考案のソケット型停電用電源装置の構成要素を示す。上から順に、表面パネル４（の仰視図）、上部カバー１０（の仰視図）、電源スイッチ組立体１３、配線絶縁板１４、電池セット１５、プリント基板１〜３、電池セットカバー１７と分離可能な下部カバー１６である。
【００１０】
表面パネルは、上面にコンピュータに接続する電源用の複数のソケット６を具え、上部カバー内から電源スイッチ組立体１３と配線絶縁板１４を組み付けて固定する。表面パネルと上部カバーには電源スイッチ９及びパイロットランプ８を取り付けて構成される。
プリント基板は、サージ保護回路基板３、電源回路基板１及び制御回路基板２が組み付けられ、その一方側には電源回路と接続される電池セット１５が配置される。
プリント基板は、下部カバー１６内に収容固定されて、上部カバーと分離可能な下部カバーとネジ止めされる。電池セットは上部カバーと電池セットカバー１７間の空間に収容され、電池セットカバー１７をスライドすることにより、電池の交換を可能とする。
１１は、電源線用のスイッチであり、１２はパイロットランプ、１９は電源線である。
【００１１】
図３は、このようにして上部カバー１０及び分離可能下部カバー１６内に夫々収容された部品の配置関係を示す。
上図（Ａ）は上部カバー内の部品収容状態であって、配線絶縁板１４で下部カバー内のプリント回路基板類と絶縁分離され、左半は電池セット１５の収容スペースとなる。
下図は、右半のプリント基板類の収容スペースに対して左半は電池収容スペースとして確保される。
【００１２】
図４は、本考案のソケット型停電用電源装置の外観を示す。上から、コンピュータに対する電源用差込用ソケット６及びサージ保護用差込ソケット７を示す平面図（Ａ）、その裏返した仰視図（Ｂ）、及び裏返して電池交換のための電池セットカバー１７をスライドして開放した状態の斜視図（Ｃ）を示す。
これらの図から明らかなように、本考案の電源装置は、商用電源からパソコンに接続する電源コードの電源ソケットの形態とされ、複数のパソコンに対して商用電源から電力を供給すると共に、これらのパソコンに対して同様に停電時のバックアップ、コンピュータ送信インターフェース回路を介してデータの保存とコンピュータの保護を行うことができる。
【００１３】
以上の実施例では、本考案の基本的な構成を示したが、これらの特徴に基づいて種々の改変、応用が可能なことは明らかであり、その請求項記載の範囲において成し得るところである。
【図面の簡単な説明】
【００１４】
【図１】本考案のソケット型停電用電源装置のブロックダイヤグラムである。
【図２】本考案のソケット型停電用電源装置の構成要素を示す分解図である。
【図３】本考案のソケット型停電用電源装置の上部（Ａ）及び下部カバー（Ｂ）の部品収容状態を示す説明図である。
【図４】本考案のソケット型停電用電源装置の外観を示す、上から平面図（Ａ）、仰視図（Ｂ）及び斜視図（Ｃ）である。
【図５】本考案のソケット型停電用電源装置の電源回路板の回路図である。
【図６】本考案のソケット型停電用電源装置の制御回路板の回路図である。
【図７】本考案のソケット型停電用電源装置のサージ保護回路板の回路図である。
【符号の説明】
【００１５】
１        電源回路基板
２        制御回路基板
３        サージ保護回路基板
４        表面パネル
５        テンプレート
６        ＵＰＳソケット
６−１   ＵＰＳバイパスソケット
７        サージ保護ソケット
７−１  サージ保護バイパスソケット
８        パイロットランプ
９        電源スイッチ
１０      上部カバー
１１      電源線スイッチ
１２      パイロットランプ（部品組立状態）
１３      電源スイッチ組立体
１４      配線絶縁板
１５      電池セット
１６      分離可能下部カバー
１７      電池セットカバー
１８      回路板カバー
１９      電源線
２０      インターフェースソケット
【図１】
0003106082.tif 000003
【図２】
0003106082.tif 000004
【図３】
0003106082.tif 000005
【図４】
0003106082.tif 000006
【図５】
0003106082.tif 000007
【図６】
0003106082.tif 000008
【図７】
0003106082.tif 000009